(57)【要約】【課題】「巻き癖」が無くゴミが間に侵入しても被養生物を傷付けることの無い、スリップし難い構成の、養生シートを提供することを目的とする。【解決手段】床等の被養生物を保護するべく所定幅を有しロール状に巻かれて搬送されることが多い長尺ものの養生シートであり、厚さが０．４mm〜０．７mmで重さが１２０ｇ／ｍ2〜１８０ｇ／ｍ2の紙製の芯材と、当該芯材の表裏両面にそれぞれ一体に貼着されたノンスリップフィルムとを有し、両側部の一部を残して凹凸のエンボス加工がなされてスプリングバック効果を有する。【選択図】図２
2020076247.tif 000002
【特許請求の範囲】
【請求項１】
床や壁等の被養生物を保護するべく、所定幅を有して且つロール状に巻かれて搬送又は保管されることが多い長尺ものの養生シートであって、
厚さが０．４mm〜０．７mmで重さが１２０ｇｆ／ｍ2〜１８０ｇｆ／ｍ2の紙製の芯材と、当該芯材の表裏両面にそれぞれ一体に貼着されたノンスリップフィルムとを有する養生シートであり、
かかる養生シートが、少なくとも両側部の一部を残して厚み方向に凹凸のあるエンボス加工がなされており、
前記紙製の芯材は、外力が作用し無い状態で、スプリングバックにより実質上平面状になることを特徴とする養生シート。
【請求項２】
前記ノンスリップフィルムが前記芯材の幅方向両側から外方にはみ出すように設けられている請求項１記載の養生シート。
【請求項３】
前記ノンスリップフィルムに表面コロナ加工されていることを特徴とする請求項１又は２記載の養生シート。
【請求項４】
前記ノンスリップフィルムがリニアローデンシティポリエチレンフィルムで構成されていることを特徴とする請求項１乃至３のいずれか１の項に記載の仮設建物用資材。
【発明の詳細な説明】
【技術分野】
【０００１】
この発明は、建物やそれに類する建築物やその他の構造物等（建築物等という）の床や壁面等の表面を傷や汚れから保護するための、養生シートに関する。
【背景技術】
【０００２】
建築物等を建築する際やリフォーム工事をする際に、あるいは引っ越ししたりする際に、壁面や床面に傷を付けたり汚したりするのを防止するべく、床や壁面等を、養生シート等を用いて養生することがしばしばおこなわれる。
このため、従来から種々の養生シート等が使用されている。  このような養生シートに関する先行技術として、以下の特許文献１等がある。
【先行技術文献】
【特許文献】
【０００３】
【特許文献１】特開２０１３−８７５２４
【発明の概要】
【発明が解決しようとする課題】
【０００４】
前記養生シートは、所定幅（例えば１００ｃｍ幅）を有するものを所定長さ（例えば５０ｍ長さ）だけロール状に巻いた形態で販売され、前記形態で保管され、必要な際には使用する現場まで搬送されている。  そして、例えば床の養生に用いられる場合には、ロール状のものを必要な長さだけ平面状に解いて床の表面を被うようにする。
しかしながら、製造時にロール状に巻き取られた養生シートは、所謂「巻き癖」がついてしまい、床の表面にぴったり沿うような状態とはならない。つまり、床表面上で上下に波打った状態となっている。
このため、床表面と養生シートとの間に隙間が生じている箇所では、それらの隙間に砂やゴミ等が侵入し、当該養生シートを作業員が移動したり養生シート上を歩いたりすると、砂等により床表面を傷付けたり汚したりしてしまうことになる。
【０００５】
本発明は、このような状況に鑑みておこなわれたもので、前記「巻き癖」が無い、しかも砂等のゴミが間に侵入しても床面等の被養生物を汚したり傷付けることの無い、且つスリップし難い構成の、養生シートを提供することを目的とする。
【課題を解決するための手段】
【０００６】
本発明にかかる養生シートは、床や壁等の被養生物を保護するべく、所定幅を有して且つロール状に巻かれて搬送又は保管されることが多い長尺ものの養生シートであって、
厚さが０．４mm〜０．７mmで重さが１２０ｇｆ／ｍ2〜１８０ｇｆ／ｍ2の紙製の芯材と、当該芯材の表裏両面にそれぞれ一体に貼着されたノンスリップフィルムとを有する養生シートであり、
かかる養生シートが、少なくとも両側部の一部を残して厚み方向に凹凸のあるエンボス加工がなされており、
前記紙製の芯材は、外力が作用し無い状態で、スプリングバックにより実質上平面状になることを特徴とする。
【０００７】
本発明にかかる養生シートによれば、ロール状に巻かれた状態から平面状にして床面上に敷設される場合、例えば床面に敷設される場合にも、「巻き癖」が実質上無いため、床面に養生シートがほぼ密接した状態で敷設することができる。
また、養生シート上を作業員等が歩くような場合にも、前記エンボス加工により又ノンスリップフィルムを用いたことにより滑り止め効果を得ることができる。さらに、前記エンボス加工により、クッション性を得ることができる。
また、前記一部エンボス加工が施されていない両側部を接着テープ等を使用して、床面や壁面等と簡単に且つ確実に接着することができる。また、エンボス加工が施されていない部分同士を接着テープにより他の養生シートと簡単に且つ強固に接続することができ、広い場所を簡単に養生することができる。かかる接着に際し、前述のようにエンボス加工がなされていない両側部でおこなうため、接着力がそれほど強くない接着テープで確実に接続することができる。
【０００８】
前記養生シートにおいて、前記ノンスリップフィルムが前記芯材の幅方向両側から外方にはみ出すように設けられていると、このはみ出している部分（はみ出し部分ともいう）が、芯材が存在しないことに起因して、容易に屈曲し易い。  このことから、例えば床面とそれから立設されている壁面に沿った状態で配設することも容易で、ゴミ等の養生シート下への侵入を防止することができる。さらに、両端部分は、芯材が存在しない「はみ出し部分」のみであるため、かかる「はみ出し部分」が破れ難い材質の素材で構成されていると、「破れ難い」養生シートとなる。
【０００９】
前記養生シートにおいて、前記ノンスリップフィルムに表面コロナ加工（コロナ加工）されていると、静電気を防止できる上で、また表面にインク等で印刷し易くなる点において、好ましい構成となる。前記表面がコロナ加工にかえてプラズマ処理をおこなってもよい。
【００１０】
前記養生シートにおいて、前記ノンスリップフィルムがリニアローデンシティポリエチレンフィルムであると、前記表面コロナ加工をおこなう上で、また高い強度を得る点で、さらには防水性能の点で、好ましい構成となる。
【発明の効果】
【００１１】
本発明によると、前記「巻き癖」が無い、しかも砂等のゴミが間に侵入しても床面等の被養生物を無用に傷付けることが無い、且つスリップし難い構成の、養生シートを提供することができる。
【図面の簡単な説明】
【００１２】
【図１】本発明の１つの実施形態にかかる一部巻いた状態の養生シートを表した全体の概略の構成を示す斜視図である。
【図２】図１に示す養生シートのエンボス加工の状態とその表裏方にそれぞれノンスリップフィルムを貼着した状態を示す、図１のａ−ａ矢視又はｂ−ｂ矢視での断面図である。
【図３】図１に示す養生シートの幅方向の両側部において、芯材からノンスリップフィルムがはみ出すように設けられている状態を示す、当該養生シートの一部の平面図である。
【図４】図１に示す養生シート同士を、エンボス加工のされていない箇所を用いて、接着テープで接着している状態を示す斜視図である。
【発明を実施するための形態】
【００１３】
以下、本発明の実施形態にかかる養生シートを図面を参照しながら具体的に説明する。
【００１４】
図１において、Ａは本実施形態にかかる養生シートで、かかる養生シートＡは、図２で示すように、厚み方向中央に、厚さが０．４mm〜０．７mmで重さが１２０ｇｆ／ｍ2〜１８０ｇｆ／ｍ2の紙製の芯材１が配設されている。  特に、この実施形態では、厚み方向中央に、厚さが０．６mmで重さが１６０ｇｆ／ｍ2の硬質の紙製の芯材１のものが使用されている。  また、この実施形態では、前記養生シートＡは、全幅が１０２０ｍｍで長さが３０ｍとなっている。
【００１５】
そして、前記芯材１の表裏両面にそれぞれ芯材１と一体にノンスリップフィルム２ａ，２ｂが貼着されている。かかる貼着は、この実施形態の場合、「サンドポリ方式と呼ばれる手法（接着剤として「ポリエチレン接着樹脂４ａ，４ｂ」を介して接着する手法）により、おこなわれている。しかし、他の溶着、例えば、熱による前記ノンスリップフィルム２ａ，２ｂの一部あるいは全部を前記芯材１に溶着することによって、おこなってもよい。また、他の接着剤によって接着してもよい。
【００１６】
また、前記芯材１と、その表裏両面のノンスリップフィルム２ａ，２ｂは、貼着されて一体となった状態でプレス加工によるエンボス加工が、この養生シートＡの前記両側部３ａ，３ｂを除いて施されている。図１，図３，図４においてエンボス加工されている部分をグレーの色を付して表している。前記エンボス加工が施されていない両側部３ａ，３ｂは、表面がフラットの状態となっており、かかるフラットの状態が長手方向Ｌ（幅方向ｗに直交する方向）に沿って形成されている。
【００１７】
また、前記ノンスリップフィルム２ａ，２ｂは、表面に表面コロナ加工が施され、静電気を防止できるよう構成されている。また、かかる表面コロナ加工がなされていると、表面に商標を印字したり模様等を印刷し易くなる利点が生じる。
この実施形態では、前記ノンスリップフィルム２ａ，２ｂは、リニアローデンシティポリエチレンフィルムで構成されているが、同様の機能を有する他の種類のフィルムを用いてもよい。特に、表面コロナ加工をしない場合には、他の種類のフィルムを使用することができる。
【００１８】
この実施形態では、前記芯材１の表裏両面に前記ノンスリップフィルム２ａ，２ｂが表面コロナ加工によっても貼着（溶着）されているが、これに代えて、種々の接着剤のみによる接着によって一体に貼着されてもよい。
【００１９】
そして、本実施形態にかかる養生シートＡは、前記エンボス加工よって、高さ的に０．２mm程度の上下の凹凸（上下合わせて０．４ｍｍ程度）が生じるような、前記エンボス加工がなされている。  しかし、かかるエンボス加工の高さについては、必要に応じて、例えば、より大きなクッション性を得たい場合には、より高い凹凸を形成すればよい。
【００２０】
このように構成された本実施形態にかかる養生シートＡによれば、芯材１の剛性あるいは弾性によって、また、両面に一体に貼着されたノンスリップフィルム２ａ，２ｂの張力により、スプリングバック機能が生じ、搬送や保管時にロール状に巻かれたものを解いて床面に延ばすと、かかる養生シートＡは実質上平面状になるよう構成されている。つまり、殆ど巻き癖による波打ち状態がない状態となる。
このため、養生シートＡと床面との間に無用な隙間が生じることがなく、かかる隙間に、砂やゴミ等が侵入することがない。
【００２１】
また、本養生シートＡによれば、両面に貼られたノンスリップフィルム２ａ，２ｂにより、防水機能を有し、液体等を誤って零すことのようなことが生じても、床面自体を湿らしたり汚すようなことはない。
また、本実施形態にかかるノンスリップフィルム２ａ，２ｂは、高い強度（引っ張り強度や破断強度）を有する。  このため、芯材１の強度と相まって、床に敷くような場合にも破損するようなことはない。
【００２２】
また、本養生シートＡによれば、図１，図３に図示するように、芯材１の両側方へ前記ノンスリップフィルム２ａ，２ｂがはみ出すよう構成されているので、養生シートＡを平面的に並べて配設する場合にも、図４に図示するように、前記はみ出し部分５ａ，５ｂ同士を並べて前記両端部３ａ，３ｂを接着テープＴで二つの養生シートＡを接続すれば、高い接続強度を保って、接続することができる。また、前記はみ出し部分（両端部）は、芯材が存在しないノンスリップフィルム２ａ，２ｂのみであるため、且つかかる「はみ出し部分」が破れ難い材質の素材で構成されているため、「破れ難い」養生シートとなる。また、かかる接続部分から、砂やゴミ等が侵入し難くなり、且つ接着テープ自体に強度の高いものを使用しておけば、かかる接続部分で破損（破断）することもない。また、前記接続テープ自体が防水性を有するものを使用すれば、かかる接続部分で液が床を湿らしたり汚すようなこともない。
【００２３】
なお、前記実施形態は、本発明の単なる１つの実施形態であって、本発明の技術的思想を逸脱しない範囲で、種々の形態で実施できることは言うまでもない。
【産業上の利用可能性】
【００２４】
本発明にかかる養生シートは、建設やリフォームあるいは引っ越しの各分野等において、利用することができる。
【符号の説明】
【００２５】
Ａ  …  養生シート
１  …  芯材
２ａ，２ｂ  …ノンスリップフィルム
３ａ，３ｂ  …両側部
Ｗ  …  幅方向
Ｌ  …  長手方向
【図１】
2020076247.tif 000003
【図２】
2020076247.tif 000004
【図３】
2020076247.tif 000005
【図４】
2020076247.tif 000006